(57)【要約】【課題】吊子の固定強度が高く折板屋根材を安定的に支持可能な固定用金具を提案する。【解決手段】折板屋根材の固定用金具を、タイトフレームに設置される係止片と、該タイトフレームの頂部外面壁に起立姿勢で保持され、該折板屋根材の上ハゼ、下ハゼにおいて形成された巻き締め部分に連係させて該折板屋根材を固定保持する吊子とを備えたもので構成する。吊子は、該吊子の下端に一体連結し該タイトフレームに締結ボルトを介して連結される固定片と、該固定片の対向位置で該吊子の下端に一体連結して該ベースの頂部外面壁に当接可能な舌片とを有するものとし、係止片は、該タイトフレームの頂部外面壁との相互間に該舌片を差し込むことにより該舌片を支持する隙間を有するものとする。【選択図】図２１
2020105907.tif 000002
【特許請求の範囲】
【請求項１】
溝板部と山板部とが交互に配列され、該山板部の頂面に設けられた上ハゼ、下ハゼにおいて巻き締め部分を形成することにより複数枚にわたる連接を可能とした折板屋根材につき、該折板屋根材をその下方に設置された波形形状をなすタイトフレームに直接、支持する折板屋根材の固定用金具であって、
該タイトフレームに設置される係止片と、該タイトフレームの頂部外面壁に起立姿勢で保持され、該折板屋根材の上ハゼ、下ハゼにおいて形成された巻き締め部分に連係させて該折板屋根材を固定保持する吊子とを備え、
該吊子は、該吊子の下端に一体連結し該タイトフレームに締結ボルトを介して連結される固定片と、該固定片の対向位置で該吊子の下端に一体連結して該ベースの頂部外面壁に当接可能な舌片とを有し、
該係止片は、該タイトフレームの頂部外面壁との相互間に該舌片を差し込むことにより該舌片を支持する隙間を有する、ことを特徴とする折板屋根材の固定用金具。
【発明の詳細な説明】
【技術分野】
【０００１】
本発明は、工場や倉庫、大型店舗などの大面積の屋根において幅広く使用される折板屋根材を固定するのに好適な折板屋根材の固定用金具に関するものである。なお、本発明の折板屋根材の固定用金具は、既設の折板屋根材の上に新規な折板屋根材を設置して屋根の改修（二重葺き折板屋根）を行う場合のみならず、タイトフレームの上に折板屋根材を設置して屋根を葺きあげる場合（新設）にも用いられるものであり、以下、既設の折板屋根材の上に新規な折板屋根材を設置して屋根の改修を行う場合を例にして説明する。
【背景技術】
【０００２】
折板屋根材は、本来、鋼板コイルを素材として、これを製造工場および施行現場に設置されたロール成形機で所望の形状、長さに成形し、それをそのまま屋根材として使用するものであって、施工性、耐風圧強度、止水性を経済的に確保できる屋根材として広く普及している。
【０００３】
とくに近年、この種の屋根材は、既設の折板屋根材の上に新規な折板屋根材を配置して折板屋根を葺きあげる、所謂、カバー工法向けの屋根材として多用されてきており、これにより折板屋根の効率的な改修が可能になってきている。
【０００４】
この点に関する先行技術としては、既設の折板屋根材のはぜ締め部の首部を一対の挟着片で挟着するとともに、この挟着片に固定された吊子あるいはこの挟着片につながる上方支承部に固定された吊子を介して新規な折板屋根材を連係させることにより屋根の葺あげを可能とした、例えば、特許文献１に開示されているような、金属製折板屋根用葺替え金具が知られている。
【先行技術文献】
【特許文献】
【０００５】
【特許文献１】特許第３４５５９０８号公報
【発明の概要】
【発明が解決しようとする課題】
【０００６】
ところで、上記文献に開示された如き従来の葺替え金具は、吊子が単一のボルトのみで挟着片に連結されているか、あるいは上方支承部に単一のボルトを介して連結された構造になっていることから、その固定強度が十分であるとは言い難く、台風等の強風時において折板屋根材に大きな負圧が作用した場合に、吊子の固定部位での変形（伸び変形）等により折板屋根材の支持が不安定になることも懸念されており、この点に関しては未だ改善の余地が残されている。
【０００７】
本発明の目的は、とくに吊子の固定強度が高く、折板屋根材に大きな負圧が作用しても折板屋根材を安定的に支持することができる折板屋根材の固定用金具を提案するところにある。
【課題を解決するための手段】
【０００８】
本発明は、溝板部と山板部とが交互に配列され、該山板部の頂面に設けられた上ハゼ、下ハゼにおいて巻き締め部分を形成することにより複数枚にわたる連接を可能とした折板屋根材につき、該折板屋根材をその下方に設置された波形形状をなすタイトフレームに直接、支持する折板屋根材の固定用金具であって、
該タイトフレームに設置される係止片と、該タイトフレームの頂部外面壁に起立姿勢で保持され、該折板屋根材の上ハゼ、下ハゼにおいて形成された巻き締め部分に連係させて該折板屋根材を固定保持する吊子とを備え、
該吊子は、該吊子の下端に一体連結し該タイトフレームに締結ボルトを介して連結される固定片と、該固定片の対向位置で該吊子の下端に一体連結して該ベースの頂部外面壁に当接可能な舌片とを有し、
該係止片は、該タイトフレームの頂部外面壁との相互間に該舌片を差し込むことにより該舌片を支持する隙間を有する、ことを特徴とする折板屋根材の固定用金具である。
【０００９】
また、本発明は、溝板部と傾斜側壁を有する山板部とが交互に配列され、該山板部の頂面壁に設けられた上ハゼ、下ハゼにおいて巻き締め部分を形成することにより複数枚の板材を連接して折板屋根を葺きあげる波形形状をなす折板屋根材につき、その上方にて該折板屋根材とは異なる新規な折板屋根材を固定、支持する折板屋根材の固定用金具であって、
該折板屋根材の該山板部の頂面に設置されるベースと、該ベースの頂部外面壁に起立姿
勢で保持され、該新規な折板屋根材の上ハゼ、下ハゼにおいて形成される巻き締め部分に
連係させて該新規な折板屋根材を固定、支持する吊子とを備え、
該吊子は、該吊子の下端に一体連結し該ベースに締結ボルトを介して連結される固定片
と、該固定片の対向位置で該吊子の下端に一体連結して該ベースの頂部外面壁に当接可能
な舌片とを有し、
該ベースは、その頂部外面壁との相互間で隙間を形成するとともに該隙間に該舌片を差
し込むことにより該吊子を該舌片および該固定片の少なくとも２点で支持する係止片を有
する、ことが好ましい。
【００１０】
また、前記ベースは、前記折板屋根材の上ハゼ、下ハゼにおいて形成された巻き締め部分の上部に位置しその上面側を前記頂部外面壁とする天壁部と、該天壁部の両端部にそれぞれつながり、該天壁部と協同してその内側に下向きに開放された区画凹所を形成する一対の側壁とを備え、
該一対の側壁のうちの一の側壁は、該折板屋根材の上ハゼ、下ハゼにおいて形成された巻き締め部分の片側に当接可能なアームを有し、
該一対の側壁のうちのもう一の側壁は、該折板屋根材の上ハゼ、下ハゼにおいて形成された巻き締め部分の反対側に当接して該折板屋根材の巻き締め部分を該アームとの相互間で挟持可能な押しボルトを有すること、
また、前記係止片は、前記ベースの頂部外面壁に対面する係止片本体と、該係止片本体の後端部に一体連結し該ベースにおいて固定保持される側板からなり、
該係止片本体はその下面に、該ベースの頂部外面壁に突き当たり該係止片本体の下面および該ベースの頂部外面壁との相互間にて前記舌片の差し込み用の隙間を形成する少なくとも一の凸部を有すること、
前記係止片は、その側板の下端部に、前記ベースの側壁の少なくとも一部分を巻き込む巻き込み部を有すること、
前記吊子は、前記新規な折板屋根材の上ハゼ、下ハゼの相互巻き締め部分に連係可能な鉤状片を備えた第１の板状体と、前記舌片を備え該第１の板状体の上面に重ね合わさる第２の板状体からなり、
該第１の板状体は、上端部が該鉤状片につながる起立壁と、該起立壁の下端につながり前記ベースの頂部外面壁および側壁に当接可能な垂下片とを備え、
該第２の板状体は、該起立壁の背面において重ね合わさる背面起立壁と、該背面起立壁の下端につながるとともに該垂下片との重ね合わせにより前記固定片を形成する上側垂下片とを備え、
該起立壁は、前記舌片を挿通させて該舌片を該起立壁の前面に露出させるスリットを有すること、
前記ベースは、前記折板屋根材の上ハゼ、下ハゼにおいて形成された巻き締め部分の上部に位置しその上面を前記頂部外面壁とする天壁部と、該天壁部の両端部にそれぞれつながり該天壁部と協同してその内側に下向きに開放された区画凹所を形成する一対の側壁とを備え、
該一対の側壁はそれぞれ、その下端に一体連結するとともに該折板屋根材の該山板部の傾斜側壁に沿って伸延し、かつ、締結手段を介して該折板屋根材の固定用タイトフレームに固定される脚部を有すること、
さらに、前記舌片は、一枚もしくは間隔を隔てて設けられた複数枚からなり、該舌片の幅寸法は、前記固定片の長さＷの少なくとも２／３倍以下であることが、課題解決のための具体的手段として好ましい。
【発明の効果】
【００１１】
本発明の折板屋根材の固定用金具は、吊子の固定片が締結ボルトを介してベースに連結されており、舌片が係止片を介してベースに連結された両端支持構造になっているため、吊子の固定強度が高く、折板屋根材に大きな負圧が作用したとしてもそれを安定的に支持できる。
【００１２】
舌片のベースへの連結は、該舌片を、係止片とベースの頂部外面壁との相互間に形成された隙間に差し込むだけでよいので、吊子の固定が比較的簡単であり、折板屋根の効率的な葺きあげが可能となる。
【図面の簡単な説明】
【００１３】
【図１】折板屋根を葺きあげるのに用いて好適な折板屋根材の一例を模式的に示した    外観斜視図である。
【図２】図１に示した折板屋根材を建築構造物の下地材に設置されたタイトフレーム    に配置して折板屋根を葺きあげた状態を部分的に示した図である。
【図３】本発明に好適な折板屋根材の固定用金具の実施の形態を模式的に示した図    である。
【図４】図３に示した折板屋根材の固定用金具の分解状態を示した斜視図である。
【図５】図３に示した折板屋根材の固定用金具の正面図である。
【図６】図３に示した折板屋根材の固定用金具の平面図である。
【図７】図３に示した折板屋根材の固定用金具の右側面図である。
【図８】図３に示した折板屋根材の固定用金具の左側面図である。
【図９】図３に示した折板屋根材の固定用金具の底面図である。
【図１０】本発明に好適な折板屋根材の固定用金具の使用状態を示した図である。
【図１１】吊子のみを示した外観斜視図とその分解状態を示した図である。
【図１２】従来の折板屋根材の固定用金具をその正面について示した図である。
【図１３】図５のＡ−Ａ断面を拡大して示した図である。
【図１４】折板屋根材の固定金具に吊子を装着する作業要領の説明図である。
【図１５】本発明に好適な折板屋根材の固定用金具の実施の形態を模式的に示した外観斜視図である。
【図１６】図１５に示した固定用金具の正面図である。
【図１７】図１５に示した固定用金具の平面図である。
【図１８】図１５に示した固定用金具の右側面図である。
【図１９】図１５に示した固定用金具の左側面図である。
【図２０】図１５に示した固定用金具の使用状態を示した図である。
【図２１】本発明にしたがう折板屋根材の固定用金具の実施の形態をその正面について模式的に示した図である。
【図２２】角ハゼを有する折板屋根材に用いて好適な折板屋根材の固定用金具の例を示した図である（背面起立壁の上端部に爪部を設けて吊子の第１の板状を角形形状に変更したもの）。
【図２３】丸ハゼを有する折板屋根材に用いて好適な折板屋根材の固定用金具の例を示した図である。
【発明を実施するための形態】
【００１４】
以下、図面を参照して本発明をより具体的に説明する。
図１は、折板屋根を葺きあげる際に用いられる折板屋根材の一例を模式的に示した外観斜視図であり、図２は、図１に示した折板屋根材を建築構造物の下地材（既設鉄骨等）に設置されたタイトフレームに設置して折板屋根を葺きあげた状態を部分的に示した図である。本発明では、固定用金具の説明の前に、折板屋根材とは、具体的にどのようなものであるかについてまず説明する。
【００１５】
図１、図２において示される符号１は、厚さ０．６〜１．０ｍｍからなる、例えば溶融亜鉛めっき鋼板やカラー鋼板等の防錆処理鋼板、あるいはステンレス鋼板、アルミニウム合金板、亜鉛板等を、ロール成形、プレス成形によって成形される定尺の折板屋根材である。
【００１６】
折板屋根材１は、矩形形状を有する平坦な板状体からなる溝板部（底板部）１ａと、該溝板部１ａの幅方向の端部でその全長にわたって一体的につながり幅方向外方へ向けて角度をもって立ち上がる傾斜側壁１ｂ、１ｃおよび該傾斜側壁１ｂ、１ｃの上端部に一体連結する頂面壁１ｄ、１ｅとを備えた山板部１ｆとが交互に配列されたものから構成されるものであって、山板部１ｆの該頂面壁１ｄ、１ｅには上ハゼ１ｇ、下ハゼ１ｈが設けられている。
【００１７】
上記の折板屋根材１は、それらの複数枚を、吊子ｔが設置された図２に示すような折板屋根材の固定用タイトフレーム２（波形形状をなす部材）の上に横並び状態で配列して該吊子ｔの設置部分で折板屋根材１の上ハゼ１ｇ、下ハゼ１ｈ同士を巻き締めすることによりその相互連接と吊子ｔによるタイトフレーム２への固定を可能とするものであって、該折板屋根材１によって葺きあげられた折板屋根は、その正面視では、溝部（凹部）Ｍと山部（凸部）Ｙが交互に連なった波形形状を呈するものとなる。なお、図２は、二枚の折板屋根材１をつなぎ合わせたものを示したものである。
【００１８】
図３は、上記の折板屋根材１によって葺きあげられた折板屋根（既設の折板屋根）と、この折板屋根を覆い隠す新規な折板屋根（新設される折板屋根）との相互間に配置され、新規な折板屋根材を既設の折板屋根材の上で固定、支持するのに使用する、本発明に好適な折板屋根材の固定用金具の実施の形態を模式的に示した外観斜視図である。
【００１９】
また、図４は、図３に示した折板屋根材の固定用金具の分解斜視図、図５は、図３に示した固定用金具の正面図、図６は、その平面図、図７は、その右側面図、図８は、その左側面図、図９は、その底面図であり、さらに、図１０は、既設の折板屋根材の上に本発明に好適な固定用金具を設置し、その固定用金具により新規な折板屋根材１を固定、支持した状態を示した図である。なお、本発明に好適な折板屋根材の固定用金具としては、例えば厚さが２．５ｍｍ程度の薄鋼板にて構成されたものが用いられるが、その厚さや材質については適宜変更される。また、固定用金具は、折板屋根材１の長さにもよるが、３〜４ｍ程度の間隔で設置されて折板屋根材１を固定、支持する。
【００２０】
図３〜図１０における符号３は、既設の折板屋根材１の山板部１ｆの頂面壁１ｄ、１ｅに設置されるベースである。ベース３は、既設の折板屋根材１の上ハゼ１ｇ、下ハゼ１ｈにおいて形成された巻き締め部分の上部に位置しその上面側を頂部外面壁とする天壁部３ａと、該天壁部３ａの両端部にそれぞれつながり、該天壁部３ａと協同してその内側に下向きに開放された区画凹所Ｎを形成する一対の側壁（傾斜側壁）３ｂ、３ｃとを備えている。
【００２１】
一対の側壁３ｂ、３ｃのうちの一の側壁３ｂには、既設の折板屋根材１の上ハゼ１ｇ、下ハゼ１ｈにおいて形成された巻き締め部分の片側に当接可能なアーム３ｂ１が設けられており、該一対の側壁３ｂ、３ｃのうちのもう一の側壁３ｃには、既設の折板屋根材１の上ハゼ１ｇ、下ハゼ１ｈにおいて形成された巻き締め部分の反対側に当接して既設の折板屋根材１の巻き締め部分を該アーム３ｂ１との相互間で挟持する押しボルト３ｃ１が設けられている。アーム３ｂ１と押しボルト３ｃ１で既設の折板屋根材１の巻き締め部分を挟持することによりベース３は、既設の折板屋根材１に固定されることになる。なお、アーム３ｂ１の先端部には、押しボルト３ｃ１との挟持を確実にするため、当て板３ｂ１１が設けられる。
【００２２】
また、符号４は、ベース３の頂部外面壁に起立姿勢で保持され、新規な折板屋根材１の上ハゼ１ｇ、下ハゼ１ｈにおいて形成された巻き締め部分に連係させて該新規な折板屋根材１を支持する吊子である。
【００２３】
吊子４は、その本体部分の上端部に鉤状片４ｃを有しており、その下端には、該下端に一体連結しベース３の側壁３ｂに締結ボルトＴを介して連結される固定片４ａと、この固定片４ａの対向位置で吊子４の下端に一体連結してベース３の頂部外面壁に当接可能な舌片４ｂとを有している。ここに、対向位置とは、吊子４の本体部分を基点にして、舌片４ｂが、固定片４ａとは正反対に設けられていることを意味している。
【００２４】
吊子４としては、その分解状態を図１１に示すように、新規な折板屋根材１の上ハゼ１ｇ、下ハゼ１ｈの巻き締め部分に連係可能な鉤状片４ｃを備えた第１の板状体４′と、舌片４ｂを備え該第１の板状体４′に重ね合わさる第２の板状体４′′とで構成することができる。この場合、その両者はスポット溶接の如き接合手段で接合される。
【００２５】
第１の板状体４′には、上端部が該鉤状片４ｃにつながる起立壁４ｄと、該起立壁４ｄの下端につながりベース３の頂部外面壁および側壁３ｂに当接可能な、水平壁部と傾斜壁部とからなる垂下片４ｅとが設けられる。また、該第２の板状体４′′には、該起立壁４ｄの背面において重ね合わさる背面起立壁４ｆと、該背面起立壁４ｆの下端につながるとともに該垂下片４ｅの水平壁部、傾斜壁部に重ね合わさって固定片４ａを形成する上側垂下片４ｇとが設けられ、さらに、第１の板状体４′の起立壁４ｄには、舌片４ｂを挿通させて該舌片４ｂを該起立壁４ｄの前面（正反対側）に露出させるスリットＳが形成される。
【００２６】
かかる構成からなる固定用金具では、折板屋根材１の上ハゼ１ｇ、下ハゼ１ｈにおいて
巻き締め部分を形成するに際して鉤状片４ｃの容易な変形を可能としながらも、吊子４そのものの剛性（鉤状片４ｃを除いた部分）を高めることができる。また、吊子４の固定片４ａは、ベース３の側壁３ｂに締結ボルトＴを介して連結されることから、該締結ボルトＴの頭部が、ベース３の天壁部３ａよりも上方に突出することがなくなり、固定用金具の高さＣ（図１０参照）を図１２に示すような従来の固定用金具に比較して約３０％程度（５０ｍｍ程度）低くすることができる。なお、吊子４は、鉤状片４ｃの容易な変形が可能で、かつ、その他の部位の剛性を高めることができるものであれば、一の板材に曲げ加工を施すことによって形成されたものを用いてもよい。
【００２７】
また、符号５は、ベース３に着脱自在に設けられた係止片である。この係止片５は、ベース３の頂部外面壁との相互間で隙間ｎ（図５参照）を形成するとともにその隙間ｎに舌片４ｂを差し込むことにより吊子４を舌片４ｂおよび固定片４ａの少なくとも２点で支持するものであって（両端支持）、これにより吊子４の固定強度を高めることができるようになっている。
【００２８】
係止片５は、具体的には、ベース３の頂部外面壁に対面する係止片本体５ａと、係止片本体５ａの後端部に一体連結しベース３に押しボルト３ｃ１を介してベース３に固定保持される側板５ｂからなるものを適用することができる。
【００２９】
また、符号６は、係止片本体５ａの下面に一体的に設けられた凸部である（図５、図１０参照）。この凸部６は、その下端がベース３の頂部外面壁に突き当たるものであって、係止片本体５ａの下面およびベース３の頂部外面壁との相互間で舌片４ｂの差し込み用の隙間ｎを形成している。凸部６は、図５のＡ−Ａ断面を拡大して図１３に示すように、吊子４の長手方向に沿い３つ設けたものを例として示したが、凸部６の個数は適宜増減することができる。なお、凸部６としては、係止片本体５ａの一部分にプレス加工を施して形成されたダボとして示してある。
【００３０】
また、符号７は、係止片５の側板５ｂの下端部に設けられ、ベース３の側壁３ｃの一部分（下方部）を巻き込むＪ字状をなす巻き込み部である。巻き込み部７を設けることにより係止片５の、ベース３に対する正確な位置決めがなされる。
【００３１】
本発明に好適な折板屋根材の固定用金具は、吊子４が、起立壁４ｄ、背面起立壁４ｆを基点にしてそれぞれ逆向きに延びる固定片４ａ、舌片４ｂを設け、この固定片４ａ、舌片４ｂによりベース３に固定されているため、吊子４の固定強度が従来のものに比較して格段に高くなり、折板屋根材１が浮き上がるような大きな負圧が作用しても該折板屋根材１を安定的に支持することができる。
【００３２】
隙間ｎについては、舌片４ｂの厚さ＋０．５ｍｍ程度に設定するのが望ましく、この隙間ｎを確保することによって舌片４ｂの、隙間ｎ内でのガタツキを回避することができる。
【００３３】
吊子４の長さＬ（図７参照）については、例えば１３０〜１５０ｍｍ程度に設定された場合、固定片４ａの長さＷは、１００ｍｍ程度に設定される。また、舌片４ｂの幅寸法Ｈは、固定片４ａの長さＷの少なくとも２／３倍以下に設定するのが好ましく、これにより吊子４の固定部分での変形（伸び変形）を確実に抑えることができる。舌片４ｂが複数枚設けられている場合には、その合計寸法とする。固定片４ａの長さＷが１００ｍｍ程度の場合で舌片４ｂを１つ設けるときには該舌片４ｂの幅寸法Ｈは６０ｍｍ程度、舌片４ｂを二つ設けるときには幅寸法Ｈは、３０ｍｍ×２程度とすることができる。なお、舌片４ｂの幅寸法Ｈは、吊子４の固定部分での変形を防止する観点から最低でもＷ×１／２倍以上とするのが望ましい。
【００３４】
本発明の好適例では、背面起立壁４ｆの一部分を切り起こすことにより舌片４ｂを形成したものを例として示したが、例えば、背面起立壁４ｆに連なる板状片を予め設けておき、その板状片に曲げ加工を施して舌片４ｂを形成してもよく、図示のものに限定されることはない。
【００３５】
また、舌片４ｂの先端角部を切り欠いてその平面形状を台形状とし、先端部がやや上向きになるように屈曲させた上反り形状としておくことで舌片４ｂの、隙間ｎへのスムーズな差し込みが可能になるとともに、舌片４ｂの差し込み完了後においてはその先端を係止片本体５ａの下面に接触させることができるため、舌片４ｂの、隙間ｎ内でのガタツキをなくすことができる。
【００３６】
本発明に好適な折板屋根材の固定用金具を用いて既設の折板屋根材１の上で新規な折板屋根材１を固定、支持するには、図１４に示すように、ベース３の側壁３ｂに設けられたアーム３ｂ１と該ベース３の側壁３ｃに設けられた押しボルト３ｃ１とによって既設の折板屋根材１の上ハゼ１ｇ、下ハゼ１ｈにおいて形成された巻き締め部をその両側から挟持し、次いで、新規な折板屋根材１の下ハゼ１ｈを吊子４の内側（鉤状片４ｃの内側）に位置せしめたのち、吊子４の舌片４ｂを隙間ｎに差し込むとともにその固定片４ａをベース３の側壁３ｂに重ね合わせ、締結ボルトＴにて固定片４ａを側壁３ｂに固定し、続いて、新規な折板屋根材１の上ハゼ１ｇを吊子４の外側（鉤状片４ｃの外側）に位置せしめて該上ハゼ１ｇ、下ハゼ１ｈを鉤状片４ｃとともに巻き締めすればよい。
【００３７】
図１５〜２０は、ベース３の側壁３ｂ、３ｃの下端部に該下端部に垂直姿勢で一体連結する垂下壁３ｂ２、３ｃ２とこの垂下壁３ｂ２、３ｃ２に水平姿勢でつながる壁部３ｂ３、３ｃ３とこの壁部３ｂ３、３ｃ３の下端において垂下する垂下壁３ｂ４、３ｃ４とを設け、該垂下壁３ｂ４、３ｃ４の下端に、既設の折板屋根材１の山板部１ｆの傾斜側壁１ｂ、１ｃに沿って伸延し、かつ、締結手段（ドリルビス等）を介してタイトフレーム２に固定可能な脚部８を一体連結した、本発明に好適な折板屋根材の固定用金具の実施の形態を模式的に示した図である。
【００３８】
かかる構成からなる折板屋根材の固定金具は、ベース３が、脚部８を通して折板屋根材１を保持するタイトフレーム２に直接固定することができ、ベース３の、既設の折板屋根材１に対する固定強度がより高くなる利点を有している。
【００３９】
また、この折板屋根材の固定金具は、ベース３の側壁３ｂ、３ｃの下端部に位置する垂下壁３ｂ２、３ｃ２によってその内側にスペースを確保することができるため、既設の折板屋根材１と新規な折板屋根材１との間に断熱材Ｚを敷き込むことが可能で、断熱性に優れた折板屋根を葺きあげることができる（図２０参照）。なお、係止片５については、リベット９の如き締結手段によってベース３に固定される。
【００４０】
さらに、図２１は、係止片５をタイトフレーム２の山部の傾斜壁にリベット留めし、係止片５とタイトフレーム２の頂面部に形成された隙間ｎ′に吊子４の舌片４ｂを差し込む一方、該吊子４の固定片４ａをタイトフレーム２の山部の傾斜壁に締結ボルトＴを介して固定した、本発明にしたがう折板屋根材の固定用金具の実施の形態をその正面について模式的に示した図である。
【００４１】
かかる構成からなる折板屋根材の固定用金具は、とくに、折板屋根を新設するときに有用であり、この場合も吊子４は固定片４ａ、舌片４ｂで固定、支持されているため、その固定強度を従来の吊子に比較して格段に高くすることが可能となり、折板屋根材１にそれを引き上げるような大きな負圧が作用しても該折板屋根材１を安定的に支持することができる。また、この構成のものは、ベース３が不要で、部品点数を減らすのに有利なだけでなく、締結ボルトＴの頭部がタイトフレーム２の頂部から突出することがなくなり、折板屋根の高さを低くすることもできる。
【００４２】
上ハゼ１ｇの頭部背面に図２２に示す如きオーバーハング部１ｇ１が形成された角ハゼを有する折板屋根材１を用いて屋根の葺きあげを行う場合には、吊子４の背面起立壁４ｆの上端部に鉤状片４ｃとは逆向きに延出する爪部４ｈを設け、この爪部４ｈにオーバーハング部１ｇ１を連係させればよく、これにより吊子４の、折板屋根材１に対する連係強度をより一層高めることができる。なお、図２２では、既設の折板屋根材１については、爪部が設けられた角ハゼを有する折板屋根材１を例示したが、かかる折板屋根材１は、上掲図１０に表示したような形状を有するハゼをもった折板屋根材１であっても対応可能であり、既設の折板屋根材１のハゼの形状についてはとくに規制されることはない。
【００４３】
本発明にしたがう折板屋根材の固定用金具は、吊子４を構成する第１の板状体４′の鉤状片４ｃを例えば、図２３に示すように略三角形状とすることもでき、これにより丸ハゼを有する折板屋根材１を固定することも可能となる。
【産業上の利用可能性】
【００４４】
本発明によれば、吊子の固定強度が高く折板屋根材を安定的に支持可能な固定用金具が提供できる。
【符号の説明】
【００４５】
１          折板屋根材
１ａ        溝板部
１ｂ、１ｃ  傾斜側壁
１ｄ、１ｅ  頂面壁
１ｆ        山板部
１ｇ        上ハゼ
１ｈ        下ハゼ
２          折板屋根材の固定用タイトフレーム
３          ベース
３ａ        天壁部
３ｂ、３ｃ  側壁
４          吊子
４′        第１の板状体
４′′      第２の板状体
４ａ        固定片
４ｂ        舌片
４ｃ        鉤状片
４ｄ        起立壁
４ｅ        垂下片
４ｆ        背面起立壁
４ｇ        上側垂下片
４ｈ        爪部
５          係止片
５ａ        係止片本体
５ｂ        側板
６          凸部
７          巻き込み部
８          脚部
９          リベット
Ｍ          溝部
Ｙ          山部
Ｔ          締結ボルト
Ｓ          スリット
ｎ          隙間
ｔ          吊子
【図１】
2020105907.tif 000003
【図２】
2020105907.tif 000004
【図３】
2020105907.tif 000005
【図４】
2020105907.tif 000006
【図５】
2020105907.tif 000007
【図６】
2020105907.tif 000008
【図７】
2020105907.tif 000009
【図８】
2020105907.tif 000010
【図９】
2020105907.tif 000011
【図１０】
2020105907.tif 000012
【図１１】
2020105907.tif 000013
【図１２】
2020105907.tif 000014
【図１３】
2020105907.tif 000015
【図１４】
2020105907.tif 000016
【図１５】
2020105907.tif 000017
【図１６】
2020105907.tif 000018
【図１７】
2020105907.tif 000019
【図１８】
2020105907.tif 000020
【図１９】
2020105907.tif 000021
【図２０】
2020105907.tif 000022
【図２１】
2020105907.tif 000023
【図２２】
2020105907.tif 000024
【図２３】
2020105907.tif 000025